(57)【要約】ガス分析器は、サンプル入口、サンプル出口、検出器、モニタリング構成部品、及び制御装置を含む。サンプル入口は、サンプルを受けるように構成され、サンプル出口に結合されている。検出器は、サンプル入口とサンプル出口の間に動作可能に配置され、サンプルに関する指示を提供するように構成されている。モニタリング構成部品は、ガス分析器の少なくとも１つの構成部品に関して診断指示を提供するように構成されている。制御装置は、ガス分析器を通した流れを制御するように構成され、サンプルを分析するために検出器に動作可能に結合され、分析をモニタリング構成部品に提供し、調子の指示を出力に提供する。
2020513215.tif 000002
【特許請求の範囲】
【請求項１】
サンプルを受けるように構成され、サンプル出口に結合されたサンプル入口；
前記サンプル入口と前記サンプル出口の間に動作可能に配置されて、前記サンプルに関する指示を提供するように構成された検出器；
ガス分析器の少なくとも１つの構成部品に関して診断指示を提供するように構成されたモニタリング構成部品;及び
前記サンプルを分析するために前記検出器に動作可能に結合され、前記分析を前記モニタリング構成部品に提供し、調子の指示を出力に提供する制御装置であって、前記ガス分析器を通した流れを制御するように構成された制御装置を、含むガス分析器。
【請求項２】
前記サンプル入口と前記サンプル出口の間に配置された少なくとも１つのガス測定ステージをさらに含む、請求項１記載のガス分析器。
【請求項３】
前記指示が、前記ガス分析器の前記少なくとも１つの構成部品について予期された欠陥の指示を含む、請求項１記載のガス分析器。
【請求項４】
前記指示が、前記ガス分析器の前記少なくとも１つの構成部品について残存する推定された残存寿命を含む、請求項１記載のガス分析器。
【請求項５】
前記指示が、前記ガス分析器の前記少なくとも１つの構成部品での検出された問題を含む、請求項１記載のガス分析器。
【請求項６】
前記指示が、前記ガス分析器の前記少なくとも１つの構成部品について示唆された行動指針を含む、請求項１記載のガス分析器。
【請求項７】
前記指示が、前記診断指示に関連付けられた識別された傾向を含む、請求項６記載のガス分析器。
【請求項８】
前記モニタリング構成部品が、前記分析を、記憶された分析と比較するようにさらに構成されている、請求項１記載のガス分析器。
【請求項９】
前記ガス分析器の前記少なくとも１つの構成部品が、サンプルループを含む、請求項１記載のガス分析器。
【請求項１０】
前記モニタリング構成部品が、前記ガス分析器の前記少なくとも１つの構成部品に関して、統計ベースのモニタリング関数を提供するように構成されている、請求項１記載のガス分析器。
【請求項１１】
前記モニタリング構成部品が、ガス分析パラメータの挙動を経時的に分析するために、ファジー論理ベースのモジュールを提供するように構成されている、請求項１記載のガス分析器。
【請求項１２】
ガス分析器の構成部品をモニタリングする方法であって、
前記パラメータの検出された偏差を示す傾向であって、パラメータにおける傾向を検出することと；
前記検出された傾向を構成部品問題に相関させることと；
前記検出された傾向に基づいて、前記ガス分析器の状況に関する指示を提供すること
を含む、方法。
【請求項１３】
前記指示が、前記構成部品問題に関係付けられた構成部品を示す警告を含む、請求項１２記載の方法。
【請求項１４】
前記検出された傾向に基づいて、症状を識別することをさらに含む、請求項１２記載の方法。
【請求項１５】
相関させることは、前記構成部品問題を識別するために、前記識別された症状と、可能性ある問題のリストとの間のメンバーシップ度を計算することを含む、請求項１４記載の方法。
【請求項１６】
相関させることが、取り出すことと、構成部品／症状行列を調べることを含む、請求項１５記載の方法。
【請求項１７】
前記傾向を検出することが、前記検出された偏差の深刻さを計算することを含む、請求項１２記載の方法。
【請求項１８】
前記指示が、前記構成部品問題に対する潜在的な解決策の指示を含む、請求項１２記載の方法。
【請求項１９】
前記指示が、計算された残存寿命を含む、請求項１２記載の方法。
【請求項２０】
前記指示が、前記構成部品問題の指示を含む、請求項１２記載の方法。
【請求項２１】
前記パラメータにおける傾向を検出することが、前記パラメータの統計上の分析を実施することを含む、請求項１２記載の方法。
【請求項２２】
ガス分析器のためのモニタリング構成部品であって、
前期モニタリング構成部品は、
ガス分析器データセットを受信するように構成されたデータ取得構成部品；
既知の良いガス分析器データセットを記憶するように構成されたメモリ；及び、
前記ガス分析データセットを、前記既知の良いガス分析器データセットと比較して、前記ガス分析器の構成部品に関する状況指示を提供するように構成されたデータ処理構成部品を含む、モニタリング構成部品。
【請求項２３】
前記状況指示が、前記ガス分析器データセットのパラメータについて検出された傾向の指示を含む、請求項２２記載のモニタリング構成部品。
【請求項２４】
前記状況指示が、前記検出された傾向の傾きに基づいた深刻さの指示を含む、請求項２３記載のモニタリング構成部品。
【発明の詳細な説明】
【背景技術】
【０００１】
プロセスガス分析器、レーザベースのガス分析器、及びガスクロマトグラフのような分析器は一般的に、サンプルガス入力を受けて、ガス測定ステージを通してガスを運んで、サンプルガスのいくつかの態様に関連付けられた分析的出力をもたらす。
【０００２】
ガスクロマトグラフィーは、クロマトグラフカラムを通した移動速度に基づく化学化合物の混合物の分離に関わる。分離は、例えば沸点、極性、又は分子の大きさにおける差異に基づき得る。分離された化合物はその後、所与のサンプル中に存在する各化合物の濃度を検出する熱伝導度検出器（ＴＣＤ）のような適切な検出器に渡って流れ得る。個々の化合物の濃度を知ることは、業界標準方程式を使用して、ＢＴＵ、比重、又は他の所望の特性のようなサンプルの一定の物理的特性を計算するのを可能にする。
【０００３】
現代のガスクロマトグラフは、化合物分離をいくつかのサブプロセスに分けるために、多数の弁（valve）やカラムを含む様々な構成部品（components）及び補助部品(subcomponents)を含む。各構成部品が適切に機能するのを確実にすることは、正確なクロマトグラフィー結果のために重要である。例えば、延長された時間 (一般的には数カ月から数年)に渡る流路における汚染、又はカラムの性能に対する変化は、成分がカラムを出るのに要求される時間に影響し得る。
【発明の概要】
【０００４】
ガス分析器は、サンプル入口、サンプル出口、検出器、モニタリング構成部品、及び制御装置を含む。サンプル入口は、サンプルを受けるように構成され、サンプル出口に結合されている。検出器は、サンプル入口とサンプル出口の間に動作可能に配置され、サンプルに関する指示（indication）を提供するように構成されている。モニタリング構成部品は、ガス分析器の少なくとも１つの構成部品に関して診断指示を提供するように構成されている。制御装置は、ガス分析器を通した流れを制御するように構成され、サンプルを分析するために検出器に動作可能に結合され、分析をモニタリング構成部品に提供し、調子の指示を出力に提供する。
【図面の簡単な説明】
【０００５】
【図１Ａ】本発明の１つの実施態様にしたがった、モニタリング構成部品を有するガスクロマトグラフの一例を示す。
【図１Ｂ】本発明の１つの実施態様にしたがった、モニタリング構成部品を有するガスクロマトグラフの一例を示す。
【図１Ｃ】本発明の１つの実施態様にしたがった、モニタリング構成部品を有するガスクロマトグラフの一例を示す。
【図２】本発明の１つの実施態様にしたがった、経時的に偏差するメタンの経験された滞留時間を提示する例示的な管理図を示す。
【図３】本発明のいくつかの実施態様にしたがった、有用であり得る１つの例示的な構成部品／症状行列を示す。
【図４】本発明の１つの実施態様にしたがった、ガスクロマトグラフの調子の指示を提供する１つの例示的な方法のフローダイヤグラムを示す。
【図５】本発明の１つの実施態様にしたがった、ガスクロマトグラフ構成部品の残存寿命を決定する方法のフローダイヤグラムである。
【図６】本発明の１つの実施態様にしたがった、ファジー論理を使用してガスクロマトグラフ構成部品の残存寿命を計算する方法のフローダイヤグラムである。
【発明を実施するための形態】
【０００６】
例示的実施態様の詳細な説明
幅広い様々な適用において、ガス分析器は一般的にガス組成物を測定する。例えば、ガスクロマトグラフは、クロマトグラム、分析されたサンプルにおいて検出された成分のモル百分率、生成された報告及び傾向のような情報を技術者に提供するように構成され得る。１つの実施態様において、ガスクロマトグラフは、ＭＯＤＢＵＳプロトコル及び／又はアナログ入力／出力インターフェースを含み得る。
【０００７】
ガスクロマトグラフユニットのような既存の分析器における１つの問題は、長期使用後にユニットが問題を検出して自己診断できないこと、又は、検出されたカラムの調子、検出器機能、及びサンプルループ機能の指示を技術者に提供できないことである。したがって、所与の分析器構成部品が時期尚早に古くなっているか、又は検出可能なエラー若しくは不調を有するか否かを決定することは困難であり得る。このような情報を入手することは、例えば一定の構成部品に対して先制的な交換又は修理を推奨して、ガスクロマトグラフに関する判断を知らせるのを助ける情報を技術者に提供し得る。
【０００８】
ガスクロマトグラフの例において、故障のタイプは、カラム汚染、カラム劣化、カラム接続不良、及び不良なインスタレーションを含み得る。検出器に関して提供され得るいくつかの例示的な指示は、検出器フィラメント不均衡、汚れた若しくは欠陥のある検出器、検出器電源オフ状態、検出器ヒューズ切れ、又は使用若しくは摩損による検出された劣化を含み得る。さらに、１つの実施態様において、ガスクロマトグラフモニタリング構成部品は、クロマトグラフにおける望まれないピーク、口（port）の漏れに関連付けられたバックフラッシュ弁口、観測されたベースラインノイズ、水注入、弁ノイズ調整、ピークずれ警告、ベント中の水、サンプル遮断弁故障、ベント閉塞、及び検出された漏れを含む他の様々な問題に関する指示を提供し得るが、問題はこれらに限定されない。
【０００９】
１つの実施態様において、ガスクロマトグラフは、１つ以上のパラメータを経時的にモニタリングするように構成され得るモニタリング構成部品とともに提供される。１つの実施態様において、モニタリング構成部品は、ガスクロマトグラフの構成部品及び補助部品の調子の指示を技術者に提供するように構成されている。１つの実施態様において、ガスクロマトグラフモニタリング構成部品は、関係付けられた補助部品と同様に、カラム、検出器、及びサンプルループの調子をモニタリングし得る。１つの実施態様において、モニタリング構成部品は、予期される構成部品故障の前に技術者に警告を提供し、予期しない構成部品故障のリスクを低減するように構成され得る。
【００１０】
１つの実施態様において、分析器モニタリング構成部品は、改善された自己診断及び欠陥予測のために、専門知識と履歴データを一体化し得る。例えば、モニタリング構成部品は、観測可能な分析器傾向と既知の構成部品問題との間の既知の相関に関するデータを組み込み得る。１つの実施態様において、分析器モニタリング構成部品は、ガスクロマトグラフのような分析器の構成部品及び補助部品についての統計ベースのモニタリング関数を提供するように構成されている。別の実施態様において、モニタリング構成部品は、分析器パラメータの挙動を経時的に分析するファジー論理ベースのハイブリッドモジュールを含む。ガスクロマトグラフに特有の興味あるパラメータのいくつかの例は、滞留時間、領域、高さ、レスポンスファクタ等を含む。ファジー論理ベースのハイブリッドモジュールは、１つの実施態様において、前もって潜在的な構成部品欠陥を診断して検出し、修理を可能にするために、ガスクロマトグラフ専門知識の脈絡において、観測されたパラメータを分析し得る。モニタリングは、１つの実施態様において、ガスクロマトグラフデータの周期的なモニタリングを含み得る。別の実施態様において、モニタリングは、各ガスクロマトグラフ分析のモニタリングを含む。構成部品の調子を検出してモニタリングする能力はまた、修理及び交換在庫を管理するのも支援し得る。
【００１１】
図１Ａ〜図１Ｃは、本発明の１つの実施態様にしたがった、モニタリング構成部品を有するガスクロマトグラフの一例を示す。図１Ａは、本発明の実施態様が有用であり得るガスクロマトグラフ１００の１つの例示的な実施態様を示す。しかし、図１Ａは例えば、Ｒｏｓｅｍｏｕｎｔ  Ａｎａｌｙｔｉｃａｌ  Ｉｎｃ．から市販されているモデル７００ＸＡガスクロマトグラフを示すが、本明細書において提供される方法及び実施態様は、他の例示的なガス分析器においても有用であり得る。
【００１２】
図１Ｂは、本発明の実施態様が有用であり得るガス分析器の概略システム図である。ガスクロマトグラフ１００は、１つの実施態様において、１つ以上の入口１１０を含む。入口１１０は、例えばクロマトグラフ１００を通って、出口１１２への、キャリヤーガス及びサンプルガスの適切なソースを可能にするように構成され得、これは１つの実施態様において、適切な処理ラインを含む。１つの実施態様において、キャリヤーガスは、ガス分析器フローパネルに提供され、そこでキャリヤーガスは、レギュレータと乾燥機を通過して初めて分析器炉１２０に入り、そこでキャリヤーガス予熱コイルを通過し得る。
【００１３】
サンプルガスは、１つの実施態様において、クロマトグラフ１００に入ってサンプルループ１２２を通過する。サンプルガスとキャリヤーガスの両方は、１つの実施態様において、既知のガスクロマトグラフィー技術にしたがって、１つ以上のクロマトグラフィーのカラム１２４を通して様々な量のサンプル及び／又はキャリヤーガスを選択的に流すように構成された、複数の空気制御されたマルチポートセレクタ弁に入り得る。各マルチポートセレクタ弁は、１つの実施態様において、それぞれのソレノイドに流体工学的に結合され得、これは制御装置、例えば制御装置１３０からの制御信号を受信するように構成され得る。１つの実施態様において、制御装置１３０はまた、検出器１２６に動作可能に結合される。
【００１４】
１つの実施態様において、検出器１２６は、分析器炉１２０内に配置された熱伝導度検出器であり、例えば、１つ以上のソレノイド（図示せず）を制御することによって、ガスクロマトグラフ１００を通した流れを完全に制御するように構成されている。さらに、１つの実施態様において、制御装置１３０は、そこを通したガス流に対する検出器１２６の反応を決定するように構成されている。１つの実施態様において、制御装置１３０は、選択された時間の間、サンプルをクロマトグラフィーのカラム１２４中に選択的に導き、カラム１２４を通してガスの流れを逆にし、検出器１２４を通して逆流を方向付けて、反応を経時的に記録する。
【００１５】
制御装置１３０は、好ましくは、分析パラメータを計算し、情報を記憶するための一連の命令を実行するように構成されたマイクロプロセッサ、又は他の適切な装置を含む。制御装置１３０は、（図１Ｃに示されている）揮発性及び／又は非揮発性のメモリを含むか、又はこれに結合され得る。１つの実施態様において、制御装置１３０は、聴覚又は視覚の出力１３２を提供するように構成されている。出力１３２は、据え付けられたディスプレイ、ユーザインターフェース上で提示され得るか、又は、ディスプレイ、例えば遠隔演算器のための別の装置に提供され得る。
【００１６】
１つの実施態様において、制御装置１３０はまた、モニタリング構成部品１５０に結合されるか、又はこれを含む。１つの実施態様において、例えば滞留時間や領域等、１つ以上のパラメータにおける潜在的な偏差を経時的に検出するために、モニタリング構成部品１５０は、現在のガスクロマトグラフデータを分析して、これを履歴データ又は既知の標準データと比較する。構成部品１５０をモニタリングすることは、１つ以上の構成部品が異常な挙動を見せていることを示す指示、例えば出力１３２を提供するように構成され得る。１つの実施態様において、提供された指示は、異常な挙動を経験している構成部品を特定して、例えば汚れたカラム、欠陥のある検出器、又はソレノイド弁の交換等の応対を示唆する。
【００１７】
図１Ｃは、本発明の１つの実施態様にしたがった、モニタリング構成部品２００の例示的な概略図を提供する。１つの実施態様において、モニタリング構成部品２００は、図１Ｂに関して提示されて説明されたモニタリング構成部品１５０に類似しており、ガスクロマトグラフのような分析器の１つ以上の構成部品に関して、モニタリング及び診断指示を提供する。モニタリング構成部品２００は、１つの実施態様において、ガスクロマトグラフデータ入口ソース２０２を含む。１つの実施態様において、ガスクロマトグラフデータ入口ソース２０２は、１つ以上の最近のガスクロマトグラフ分析からのデータを含む。
【００１８】
１つの実施態様において、モニタリング構成部品２００はまた、ガスクロマトグラフの１つ以上の最近の較正についての情報を受信するように構成された較正データ入口ストリーム２０４も含む。１つの実施態様において、ガスクロマトグラフ入口データ２０２と較正データストリーム２０４は、モニタリング構成部品２００内のデータ取得構成部品２１０に提供される。データ取得構成部品２１０は、１つの実施態様において、ガスクロマトグラフ並びにその構成部品及び補助部品のうちの１つ以上について、入力情報を集約するように働き得る。データ取得構成部品２１０は、１つの実施態様において、メモリ２２０に結合され得る。メモリ２２０は、標準参照データ２２２及び／又は記録されたデータ２２４を記憶するように構成され得る。記録されたデータ２２４は、以前のガスクロマトグラフ分析又は実行とともに、以前の較正データに関連付けられたデータを含み得る。さらに、記録されたデータ２２４は、ガスクロマトグラフ及び／又はガスクロマトグラフ構成部品若しくは補助部品に関する１つ以上の既知の良いパラメータを記憶し得る。
【００１９】
１つの実施態様において、モニタリング構成部品２００は、データ処理構成部品２３０を含む。データ処理構成部品２３０は、１つの実施態様において、受信された分析器パラメータの現在の状況に関する入力データを分析して、現在のパラメータを、以前にとられたデータ、例えばメモリ２２０から取り出されたデータと比較するように構成され得る。データ処理構成部品２３０は、既知の統計上の方法２３２、ファジー論理２３４、人工神経回路網２３６、及び／又は、情報を分析する他の方法２３８のうちの１つ以上を使用し得る。データ処理構成部品２３０は、調子インジケータ２４０を提供するように構成され得る。調子インジケータ２４０は、ガスクロマトグラフのような分析器の調子全体、総じて、１つ以上の構成部品の調子、又は、分析器の１つ以上の構成部品のための可能性ある修理若しくは交換方針の指示に関するインジケータを含み得る。
【００２０】
１つの実施態様において、すべてのガスクロマトグラフ較正実行の終了後、モニタリング構成部品２００は、例えばデータストリーム２０２及び／又は２０４からデータを取り出して、メモリ２２０内のデータを組織化する。メモリ２２０は、より効率的に履歴データを処理するために、較正実行からのデータを記憶するように構成され得る。１つの実施態様において、経時的に変化する１つ以上のパラメータを識別するために、データ処理構成部品２３０は、例えば周期的に、又はガスクロマトグラフ実行の終了毎に、メモリ２２０から情報を取り出して、統計上の方法を適用するように構成され得る。１つの実施態様において、管理図は１つ以上のパラメータに関して作成されるか又は用いられ得、管理図はクロマトグラフの寿命に渡って更新され得る。管理図は、１つの実施態様において、経時的に変化するパラメータを識別するのに有用であり得る。１つの実施態様において、変化は、パラメータが増加すること及び低下することを検出すること、上方又は下方へのレベルシフトを経験すること、変動の経験等を含み得る。１つの例示的な管理図が図２において提示され、以下で詳細に説明される。識別された傾向の傾きを決定することで、パラメータがどの位速く経時的に偏差しているかを示し得、このことは、予期される欠陥の状態がいつ発生し得るかについての指示を提供できる。１つの実施態様において、予期される欠陥の状態がいつ発生し得るかを検出することは、交換部品を発注するための十分な時間を提供し得、これは手作業での在庫調査の必要性を低減し得る。１つの実施態様において、モニタリング構成部品２００は、パラメータ偏差が検出されたときに交換部品を発注できるように遠隔在庫調査システムに通信可能に結合され得る。
【００２１】
図２は、本発明の１つの実施態様にしたがった、経時的に偏差する成分（この例におけるメタン）の経験された滞留時間を提示する例示的な管理図を示す。１つの実施態様において、モニタリング構成部品、例えばモニタリング構成部品２００は、パラメータの図表による出力を経時的に生成するように構成されている。出力３００は、１つの実施態様において、モニタリング構成部品によって内部的に偏差を検出するために使用され得、又は、別の実施態様においては、技術者に対するディスプレイ上の出力である。
【００２２】
管理図３００は、検出されたパラメータ偏差の例示である。１つの実施態様において、検出された問題点の指示、又は可能性ある解決策の指示のみが提示される。例えば、１つの実施態様において、モニタリング構成部品は、分析器からのデータを経時的に分析して、構成部品での問題を知らせる任意の偏差を検出するように構成されている。モニタリング構成部品はその後、１つの実施態様において、１つ以上の構成部品の予期される欠陥又は修理の必要性に傾向が対応することを決定し得る。モニタリング構成部品は、１つの実施態様において、技術者に対して管理図３００を出力する。モニタリング構成部品は、識別された傾向の指示、識別された偏差に関係付けられ得る１つ以上の潜在的な問題点の指示、及び／又は、識別された問題点に対する１つ以上の解決策の指示を提示し得る。１つの実施態様において、モニタリング構成部品は、管理図３００を直接的に出力するのではなく、代わりに予期される構成部品欠陥に対して計算された時間のみを提示する。別の実施態様において、管理図３００は、提案される解決策、例えばカラムを交換することや、又は検出器ヒューズを交換すること等の指示を技術者に提供するようにのみ、モニタリング構成部品が構成されていることの例示に過ぎない。
【００２３】
１つの実施態様において、管理図３００は、１つ以上の分析に対応する生のデータを含む。管理図３００は、一定のガスクロマトグラフ、例えばクロマトグラフ１００に対する成分（メタン）についての滞留時間３０２の分析を、時間３０４に渡って例示的に提供する。
【００２４】
１つの実施態様において、傾向線３１０は、平均滞留時間ｘの指示を経時的に提供し、標準偏差σにおいて測定される平均が経時的に変動するか否か、及びどのように変動するかを示す。１つの実施態様において、関心領域３２０は、傾向線３１０の傾き３０６が経時的に増加しているところとして識別される。傾き３０６の大きさは、検出された課題がどの位深刻であるかの指示を提供し得る。傾き３０６の大きさはまた、ガスクロマトグラフについての残存寿命を示すか又は計算するのに使用され得る。残存寿命は特定の構成部品についての欠陥シナリオがいつ発生しそうかを計算するのに有用であり得る。例えば、傾き３０６は、ガスクロマトグラフ内の特定のカラムが、例えば２週間内に、又は一定数の分析後に、交換を必要とする指示を提供し得る。
【００２５】
しかしながら、図２は、ある一定のパラメータ、経時的にガスクロマトグラフを通したメタンの滞留時間についての管理図３００を例示的に提示するが、例えば他のパラメータも経時的に追跡され得る。多数のパラメータを経時的に追跡することは、モニタリング構成部品が分析器の調子の全体像を決定できるようにし得る。１つの実施態様において、ガスクロマトグラフの多数のパラメータを経時的に追跡することは、ガスクロマトグラフ及びその構成部品や補助部品のうちの１つ以上の更新された調子の画像を、並びに、欠陥に先立つ警告を提供するのを助ける。分析器の全体的な調子を経時的に追跡することはまた、予期される欠陥が回避されるように、分析器について、修理するための、又は、違う構成部品若しくは補助部品に交換するための時間に対する指示を、モニタリング構成部品が技術者に提供することを可能にし得る。１つの実施態様において、モニタリング構成部品はまた、パラメータ偏差を早期に検出することに基づいて、修理及び交換がより容易に予期されて計画されるので、手作業での交換部品在庫調査の必要性をも低減することができる。
【００２６】
１つの実施態様において、１つ以上の追跡されたパラメータ中でいったん傾向が検出されると、モニタリング構成部品は、課題の深刻さを計算するように構成されている。例えば、パラメータが速い速度で変化している場合、これは課題が深刻であり、救済的な行動が直ぐにとられなければならないことを示し得る。深刻さの程度は、モニタリング構成部品によって提供され得るが、例えば質的指示、例えば「深刻」、又は量的指示、例えば残り１週間で構成部品が修理若しくは交換されなければならない、等である。
【００２７】
図３は、本発明のいくつかの実施態様にしたがった、有用であり得る構成部品／症状行列（Component/Symptom Matrix）の一例を示す。１つの実施態様において、図２中で提示されたもののような１つ以上の管理図は、組み合わせにおいて、ガスクロマトグラフの調子の全体的な指示を提供できる。１つ以上のパラメータを経時的に検出することは、モニタリング構成部品が、存在する１つ以上の症状を識別して、観測された症状を可能性ある問題に相関することによって、問題の指示を提供するのを可能にし得る。図３は、識別された症状をガスクロマトグラフについての潜在的な問題と相関するのに使用され得る、１つの例示的な構成部品／症状行列４００を提供する。例えば、滞留時間の増加はカラム汚染を示し得る。したがって、滞留時間が増加していることを検出することは、カラム汚染のせいで１つ以上のカラムが交換、又は修理される必要があることを示し得る。
【００２８】
別の例は、ベースラインがゼロになり得ないことの検出を含み得る。行列４００において示されるように、これは不均衡な検出器フィラメントを相関させ得る。１つの実施態様において、モニタリング構成部品が検出された症状の指示を提供したとき、ガスクロマトグラフでの潜在的な課題を決定するために、技術者が行列４００を照会できるように、行列４００は、ガスクロマトグラフを扱う技術者に提供される。別の実施態様において、行列４００は、モニタリング構成部品のメモリ、例えばモジュール２００のメモリ２２０内
で記憶される。モニタリング構成部品２００は、１つの実施態様において、例えばデータ処理構成部品２３０を使用して、複数の追跡されたパラメータについて管理図３００において観測された傾向を比較して、症状４０２を識別する。いったん１つ以上の症状４０２が検出されると、モニタリング構成部品２００はその後、どの潜在的な問題４０４が存在し得るかを識別して、技術者への指示を提供し得る。例えば、いくつかの症状４０２は、カラム汚染、不良な検出器フィラメント、及び／又はカラムブリードの増加のうちのいずれかに相関し得る。１つの実施態様において、モニタリング構成部品２００はすべての潜在的な問題の指示を提供するので、技術者は、どの問題が観測された症状に責任があるかを検出しなければならない。別の実施態様において、モニタリング構成部品２００は、例えばどの問題又は複数の問題が最も存在しそうかを決定するために、観測された症状の相関を実施することによって、最も発生しそうな問題の指示を提供する。理解されるように、このような分析器の様々なパラメータは、異なる構成部品及び分析器状態における変化によって変わり得るので、他のタイプの分析器は、異なる行列４００を有し得る。
【００２９】
１つの実施態様において、潜在的な症状が潜在的な問題にどのように相関するかを知ること、及び観測されたパラメータ偏差がどの位迅速に発生するかを知ることは、ガス分析器モニタリング構成部品が、ガスクロマトグラフ、又は、その構成部品若しくは補助部品のうちの１つのようなガス分析器の残存寿命を予測するのを可能にし得る。これは様々な仕方でなされ得、いくつかの例示的な方法が図４〜図６に関して以下で説明される。
【００３０】
１つの実施態様において、潜在的な症状が潜在的な問題にどのように相関するかに関する専門知識は、メモリモジュール２２０内に記憶されるので、モニタリング構成部品２００は、どの潜在的な問題が観測されたパラメータ傾向に最も責任があるかを決定するために、識別された症状に対して専門知識を取り出して適用できる。１つの実施態様において、いったん１つの問題が観測されたパラメータ偏差についての潜在的な原因として識別されると、モニタリング構成部品２００は、例えば調子インジケータ２４０を通して、識別された問題の指示を提供するように構成されている。
【００３１】
図４は、本発明の１つの実施態様にしたがった、ガス分析器の調子の指示を提供する１つの例示的な方法のフローダイヤグラムを示す。方法５００は、検出すること、及び、ガス分析器の検出された問題点についての警告を提供することに有用であり得る。方法５００はまた、１つの実施態様において、ガス分析器及び／又はその構成部品若しくは補助部品に関する状況を提供するのにも使用され得る。
【００３２】
ブロック５１０において、較正データがガス分析器から受信される。１つの実施態様において、受信された較正データは、ブロック５１２で示されるように、将来の分析のために記憶され得る。別の実施態様において、受信されたデータは、これが受信されたときに分析される。さらなる実施態様において、モニタリング構成部品は、例えば時間間隔に基づいて、例えば毎週若しくは毎月、又は所与の数の分析後、例えば１０回の実行毎に１度、周期的な分析を行い得る。
【００３３】
ブロック５２０において、受信された較正データが処理される。１つの実施態様において、処理データは、最近受信されたデータを、履歴データ、既知の良いデータ、既知の標準データ等に比較することを含む。データを処理することは、ブロック５２２において示されるように統計上の分析を、又はブロック５２４で示されるようにファジー論理ベースの分析を、又はブロック５２６で示されるように別の分析技術を使用することを含み得る。ブロック５２０で示されるようにデータを処理することはまた、チャートを作成すること、又はそうでなければパラメータ偏差が発生しているか否かを検出することも含み得る。傾向が観測された場合、モニタリング構成部品は、１つの実施態様において、そのパラメータを目印付け得る。パラメータを目印付けることは、１つの実施態様において、潜在的な傾向に着目して、技術者に指示を提供することを含み得る。１つの実施態様において、パラメータを目印付けることは、検出された傾向をモニタリングするための分析スケジュールを調節することを含む。１つの実施態様において、較正データを処理することは、検出された症状を、問題及び／又は一定の構成部品と関係付けることを含む。
【００３４】
ブロック５３０で、モニタリング構成部品は、１つ以上のガス分析器構成部品の古さを決定する。異なる構成部品は、いくつかの要因、例えばテストされるサンプルの数又はタイプに基づいて、より速く、又はより遅く古くなり得る。古さを決定することは、１つ以上の構成部品についての作動残存寿命を検出することを含み得る。例えば、ガスクロマトグラフカラムが汚染されていること、及び汚染の割合を検出することは、モニタリング構成部品がカラムの交換又は修理に先立って、作動残存寿命を決定できるようにし得る。１つ以上の構成部品の古さは、１つの実施態様において、検出されたパラメータ偏差に基づいて計算され得る。検出された偏差の傾きは、１つの実施態様において、深刻さの指示及び欠陥までの時間を提供し得る。
【００３５】
ブロック５４０において、指示が提供される。１つの実施態様において、指示は、ガス分析器の１つ以上の構成部品が修理又は交換を必要とすることを示す警告５４４を含む。警告５４４を提供することは、欠陥シナリオに対して推定される時間を示すことを含み得る。別の実施態様において、指示はガス分析器の状況５４２を含む。状況５４２は、別の実施態様において、１つ以上の構成部品の状況を特定し得る。例えば、１つの実施態様において、状況５４２を提供することは、カラム状況が質的に「良い」若しくは「非常に良い」とは対照的に「不良」であることを示すこと、及び／又は、残存する作動寿命、例えばカラムが修理若しくは交換が要求されるまで３か月より短い作動寿命を有すると示すことを含み得る。
【００３６】
方法５００は、ガスクロマトグラフの構成部品が交換若しくは修理をいつ要求するかの指示を、技術者に提供するのに有用であり得る。これは、技術者が欠陥シナリオを回避し、単一のクロマトグラムの検査若しくはガスクロマトグラフの物理的検査によっては容易に明らかでない問題を検出するのを助け得る。方法５００を使用してデータを処理する能力は、所与のガスクロマトグラフを全体的により良い調子に保ち、潜在的な欠陥問題を早期に識別し得る。
【００３７】
図５は、本発明の１つの実施態様にしたがった、ガスクロマトグラフ構成部品の残存寿命を決定する１つの例示的な方法のフローダイヤグラムを示す。方法６００は、ガスクロマトグラフ構成部品についての残存寿命を計算するのに有用であり得る。例えば、検出された症状は、修理又は交換を要求する欠陥シナリオ又は不正確さにつながり得る。方法６００は、したがって、構成部品が所望の品質基準を過ぎて古くなったとして警告を提供すること、又は構成部品がいつ所望の品質基準を過ぎて古くなるかの推定を含む警告を提供することに有用であり得る。
【００３８】
ブロック６１０で、１つの実施態様において、ガス分析器データは、モニタリング構成部品によって受信される。１つの実施態様において、ガス分析器データを受信することは、最近の較正データ及び／又は最近のクロマトグラムを受信することを含む。
【００３９】
ブロック６１２において、ガス分析器データは、履歴又は記憶された分析器データと比較される。１つの実施態様において、パラメータが平均から離れる傾向があるか否か、及びどの位深刻かを決定するために、既知の良いデータと最近得られたデータの間で比較が行われる。１つの実施態様において、パラメータが統計的に顕著なずれを経験しているか否かを検出するために、履歴データに対して比較が行われる。
【００４０】
ブロック６２０において、ガス分析器データは分類される。１つの実施態様において、ブロック６２０でデータを分類することは、潜在的な症状６２２を識別することを含む。症状６２２を識別することは、１つ以上のパラメータに対して、１つ以上の管理図を生成して、平均から離れた任意の観測された偏差又は傾向を識別するモニタリング構成部品を含み得る。１つの実施態様において、いったん識別された傾向が顕著な偏差、例えば平均から離れた１つ以上の標準偏差に到達すると、傾向は、潜在的な症状として分類される。１つの実施態様において、傾向を識別することに加えて、症状の深刻さが計算される。深刻さは、１つの実施態様において、観測された傾向についての偏差率に基づいて識別され得る。線形傾向について、偏差率は傾きに対応する。非線形傾向について、傾向が欠陥シナリオに対応するしきい値をいつ通過するかを識別することによって、例えば又は他の方法を使用することによって、深刻さは図表によって計算され得る。
【００４１】
識別された傾向は、１つの実施態様において、図３で提示されるような構成部品／症状行列を使用して、構成部品に関係付けられた潜在的な問題に相関され得る。ブロック６２０においてデータを分類することはまた、例えばブロック６２２で示されるように、識別されたパラメータ偏差に基づいて潜在的な症状を識別することも含み得る。ブロック６２４において示されるように、例えば構成部品／症状行列を使用して、１つ以上の既知の症状をこのような症状に関係付けられた問題と比較することによって、問題は識別され得る。潜在的な問題を識別することはまた、識別された症状と問題を相関させるのを支援し得るガスクロマトグラフ専門知識からの分析に照らし合わせて、収集されたデータを比較することも含み得る。
【００４２】
ブロック６３０において、メンバーシップ度は、各観測された傾向について計算される。メンバーシップ度は、パラメータが最初に偏差されて以来の時間の長さと偏差率に対応し得る。１つの実施態様において、計算されたメンバーシップ度は、検出された問題の深刻さの指示を提供し得る。１つ以上のパラメータの挙動が速い速度で変化している場合、これは問題が深刻であることを示し得る。反対に、パラメータが遅い速度で変化している場合、これは問題が軽度であることを示し得る。例えばブロック６３０において計算されたメンバーシップ度を知ることで、行動が即座にとられる必要があるか否かを、又は、欠陥シナリオ若しくはクロマトグラフ分析で受容できない不正確さを防ぐための行動が将来いつとられなければならないかを、技術者又はガス分析器のモニタリング構成部品が決定できるようにし得る。
【００４３】
ブロック６４０で、１つの実施態様において、相関は、観測された症状に基づいて、１つ以上の構成部品に関連付けられた潜在的な問題を識別する。１つの実施態様において、相関は、１つ以上のガス分析器専門家からの入力に基づいて集計された確認（confirmability）行列を分析することを含む。
【００４４】
発生（occurrence）行列は、どの位頻繁に症状が発生するかを特定し得る。確認行列は、識別された症状が問題にどの位強く相関するか、例えばどの程度それらが互いに関連付けられるかを識別するのに有用であり得る。例えば、多数の症状が単一の問題に相関し得るし、又は１つの症状が多数の問題に相関し得る。例えば、多数の症状がカラム汚染を示し得るし、単一の症状、例えば高バックグラウンド信号ノイズが、多数の問題と相関し得る。確認行列は、一定の症状が一定の問題にどの位強く相関するかについて、より良い指示を提供し得る。いったんモニタリング構成部品が症状と問題の相関に関する情報を有すると、モニタリング構成部品は、相関についてのメンバーシップ度を検出するために合成動作を実施し得る。
【００４５】
ブロック６５０で、ガス分析器構成部品についての残存寿命が計算される。例えば、観測された偏差が線形である管理図３００の例では、残存寿命を計算することは、傾きと、受容できないレベルのずれが超越されるであろうときを決定することを含む。受容できないレベルのずれは、１つの実施態様において、受容できない不正確さレベルに対応し得る。別の実施態様において、受容できないレベルのずれは、構成部品についての欠陥シナリオに対応する。
【００４６】
方法６００は、ガス分析器のモニタリング構成部品が、ガス分析器の１つ以上の構成部品についての残存作動寿命を計算するのに、又は予期される欠陥の指示を技術者に提供するのに有用であり得る。方法６００はまた、経時的に観測されたパラメータ偏差に基づいて、残存寿命を定量化できるように計算するのにも有用であり得る。
【００４７】
図６は、本発明の１つの実施態様にしたがった、ファジー論理を使用して、ガス分析器構成部品の残存寿命を計算する方法のフローダイヤグラムを示す。方法７００は、１つの実施態様において、ガス分析器構成部品についての信頼できる推定残存寿命を提供するのに有用であり得、これは修理スケジュールを計画する際に有用であり得る。さらに、方法７００は、予期されない欠陥状態を低減させる又は除去するのを助けて、検出されたデータ欠乏に対して責任ある構成部品を迅速に正確に切り離し得る。
【００４８】
方法７００は、検出されたパラメータ偏差の深刻さが計算されるブロック７１０で開始する。１つの実施態様において、深刻さは、ガス分析器によって測定された１つ以上のパラメータについての１つ以上の傾向７１２を識別することによって計算される。検出された偏差の深刻さはまた、傾向７１２の傾き又は変化の速度７１４を決定することによって、１つの実施態様において計算され得る。
【００４９】
ブロック７２０で、構成部品／症状行列が得られる。１つの実施態様において、構成部品／症状行列Ｒａは、観測された傾向７１２と傾き７１４の間の最大値を計算して、それを問題／症状行列で乗算することによって得られる。問題／症状行列は、例えば図３において提示されたものと類似し得る。
【００５０】
ブロック７３０で、ガス分析器の専門的判断が取り出される。１つの実施態様において、ガス分析器の専門的判断は、発生行列Ｒｏ及び／又は確認行列Ｒｃを含む。発生行列７３２は、症状を一定の問題に相関させて、確認行列７３４は、症状が一定の問題をどの位強く裏付けるかを示す。例えば、行列７３４は、ガスクロマトグラフ中の増加された滞留時間がカラム汚染問題をどの位強く裏付けるかを示し得るか、又は異なる問題を完全に示し得る。
【００５１】
ブロック７４０で、最大−最小の合成が得られる。１つの実施態様において、最大−最小の合成を得ることは、以下で、数式１を適用することによって完遂される。
【数１】
2020513215.tif 000003
【００５２】
ｘ  ε  ｛Ｃｏｍｐｏｎｅｎｔｓ｝，  ｙ  ε｛Ｓｙｍｐｔｏｍｓ｝，  ｚ  ε  ｛Ｉｓｓｕｅｓ／Ｐｒｏｂｌｅｍｓ／Ｃａｕｓｅｓ｝の場合、μはメンバーシップ度である。数式１は、以下に示される数式２と数式３を使用して、Ｒ１とＲ２を得るために計算された行列に関する専門知識を集計するのに有用であり得る。
【数２】
2020513215.tif 000004
【数３】
2020513215.tif 000005
【００５３】
Ｒ１は、Ｒａ、構成部品／症状行列と、Ｒｃ、確認行列との間の合成である。同様に、Ｒ２は、構成部品／症状行列、Ｒａと、発生行列、Ｒｏとの間の合成である。
【００５４】
ブロック７５０において、固定判断が決定される。固定判断は、０又は１の回答のいずれかの結果となる行列演算に対応し得る。固定判断は、構成部品が効率的に機能しているか否か、欠陥状態に接近しているか否か、又は修理の必要があるか否かを決定するために有用であり得る。１つの実施態様において、固定判断は、ブロック７５２によって示されるように、アルファカットを適用することによって達成される。アルファカットは、例えばｘ＋６σに関して０．５に設定され得る。アルファカットを行列Ｒ１とＲ２に適用することは、結果として０又は１のいずれかの形の固定判断になり得る。固定判断を決定することはまた、ブロック７５４で示される行列等式演算を適用することによっても達成される。行列等式演算を適用することは、１つの実施態様において、欠陥シナリオを確定するための代替メカニズムを提供し得る。
【００５５】
ブロック７６０で、予期される欠陥シナリオが、例えば固定判断を決定することによっていったん確認されると、１つの実施態様において、関連ある構成部品について作動残存寿命が計算される。説明を容易にするために、検出された線形傾向について例示的な計算が提示される。しかし、残存寿命はまた、検出された非線形偏差についても計算され得る。１つの実施態様において、線形傾向について、以下の数式４で示される直線方程式が、作動残存寿命を計算するために使用される。
【数４】
2020513215.tif 000006
【００５６】
数式４において、ｘは残存する日単位の時間を表し、ｙは制御警告値を表し、ｍは傾きを表し、そしてｃは定数を表す。したがって、残存する日単位の時間を計算することは、ｘを提供するために数式４を再配列することによって達成できる。
【００５７】
図３で示されるように、線形傾向線を見ると、例えば、経時的にガスクロマトグラフを通したメタンの滞留時間において増加する偏差が観測される。このことは、例えば、メタン成分を分離することに対して責任のあるカラムが何らかの汚染を経験していることを示し得る。変化の速度又は観測された傾きｍは、汚染がカラム内でどの位速く発生しているかを示す。
【００５８】
しかし、汚染が発生していることを単純に識別することは、必ずしもその行動、例えば汚染されたカラムの交換が要求されること、そしてそれがいつであるかを示すものではない。したがって、モニタリング構成部品は、技術者に警告を即座に提供し得ないが、着目されたカラムにおける滞留時間を密接に観測することが必須であることの指示を提供し得る。さらに、汚染が発生していることの指示は提供され得るが、しかしながらカラムを交換するための警告は、傾向線が警告限度又は制御限度を超えるまでは提供され得ない。例えば、警告限度、例えばカラムのパーセント汚染しきい値が超えたとき、警告指示が提供され得る。１つの実施態様において、汚染が発生していることを検出した後、モニタリング構成部品は、汚染されたカラムについて残存する最大日数を決定し得る。このことは、モニタリング構成部品がカラムについての汚染速度を計算するのを可能にし得る。これは、識別された症状と汚染についてメンバーシップ度が計算されるのを可能にし得る。
【００５９】
モニタリング構成部品は、傾向を識別して、警告値と欠陥値が超えるであろうときを計算することによって、残存寿命を計算するように構成され得る。例えば、数式５（式中、ｘは日単位の時間を表し、ｙは制御警告値を表し、ｍは傾きを表す）において提示される線形方程式を使用して線形傾向が識別されて、警告値が計算されることができる。計算は、欠陥値について、欠陥が発生するまでの残存寿命を決定するために繰り返すことができる。
【００６０】
モニタリング構成部品を付加することは、ガス分析器が欠陥発生数を低減できるようにし、作動寿命を通してデータの正確さを改善し得る。さらに、ここでの症状及び方法の使用は、技術者が専門知識を利用して、予想される欠陥シナリオに関してより知的な判断をするのを可能にし得る。さらに、本明細書に記載のシステム及び方法の使用は、欠陥診断における人的ミスを低減するのを助け得る。さらに、本明細書に記載のシステム及び方法は、早期に警告を提供して突然のガス分析器故障を回避するのを助け得る。さらに、本明細書に記載のシステム及び方法を使用するモニタリング構成部品の存在は、このようなガス分析器からの結果の信頼性を増強し得る。さらに、推定される残存寿命を知ることは、メンテナンスのための計画を立てること、及びオンサイトでの予備部品の余剰な在庫調査を回避することを支援し得る。
【００６１】
好ましい実施態様を参照して本発明を説明してきたが、当業者は、発明の精神及び範囲から逸脱することなく、形態及び詳細に変更を加えることができることを理解するであろう。例えば、本発明の実施態様はガスクロマトグラフに関して説明されてきたが、本発明の実施態様は、幅広い色々なガス分析器に適用可能である。さらに、本発明の実施態様は、ここでガスクロマトグラフのようなガス分析器の構成部品として診断モニタリング構成部品を説明する一方で、モニタリング構成部品が１つ以上のガス分析器に通信可能に結合された遠隔構成部品であり得ることが明示的に意図される。
【図１Ａ】
2020513215.tif 000007
【図１Ｂ】
2020513215.tif 000008
【図１Ｃ】
2020513215.tif 000009
【図２】
2020513215.tif 000010
【図３】
2020513215.tif 000011
【図４】
2020513215.tif 000012
【図５】
2020513215.tif 000013
【図６】
2020513215.tif 000014
【国際調査報告】
2020513215.tif 000015
2020513215.tif 000016
2020513215.tif 000017
2020513215.tif 000018